(57)【要約】【課題】下位置に給紙トレイ部を配置し、上位置に排紙トレイ部を有してＵターン状の原稿搬送経路を有する原稿読取装置に用いられる自動原稿搬送装置において、給紙トレイ部の堆積した順序通りに排紙トレイ部で原稿を堆積できるようにする。【解決手段】画像記録面を下向きにして複数の原稿Ｄを給紙トレイ部１３に堆積しておく。原稿読取部Ｒｅを通過した後の原稿Ｄは第２ピンチローラ及び第３ピンチローラと反転ローラ２０の周面での当接且つ搬送にて原稿Ｄの画像記録面が上向きの状態で排出される。反転ローラ２０の左右両側の被嵌部材４６における外周面には、第３ピンチローラ２３と反転ローラ２０との当接位置に相当する箇所から搬送下流側に斜め上方に延び、排紙補助ガイド板２９の始端側に近接する案内部材４７が形成され、案内部材４７の最上端部４７ａは、第３ピンチローラ２３と反転ローラ２０との当接位置の高さ位置よりも高い位置にある。【選択図】図１３
2008189476.tif 000002
【特許請求の範囲】
【請求項１】
所定の搬送方向に搬送される原稿の画像を読取位置で読み取る読取手段を有する画像読取装置に搭載され、下側に配置された給紙トレイ部から前記読取位置へ原稿を搬送する第１の搬送方向と、前記読取位置を経て前記給紙トレイ部より上側に配置された排紙トレイ部まで原稿を搬送する第２の搬送方向とからなる略Ｕターン形状の原稿搬送路が備えられる原稿搬送装置において、
前記給紙トレイ部に堆積状態にて載置された複数の原稿から１の原稿を分離して第１の搬送方向に搬送するために第１の回転駆動部材と第１の当接部材とからなり、その両者のうち何れか一方または双方が相手に弾力的に当接可能に構成された分離・搬送手段と、
前記分離・搬送手段によって搬送されてきた原稿を前記読取位置に搬送した後に前記第２の搬送方向に反転してさらに搬送するために第２の回転駆動部材とこの第２の回転駆動部材に弾力的に当接可能な第２の当接部材からなる反転搬送手段と、前記第１及び第２の当接部材が配置されて開閉可能なカバー部材とを備え、
前記カバー部材には、前記給紙トレイ部から原稿を導入する吸入シュート部と、この吸入シュート部よりも上部に位置して、前記第２の回転駆動部材により反転搬送される原稿を前記排紙トレイ部まで導く排出シュート部とが設けられ、
前記読取位置より搬送下流側に配置された第２の当接部材は、搬送方向に沿って少なくとも２つ設けられ、搬送最下流側に位置する第２の当接部材と前記第２の回転駆動部材との当接位置は、前記カバー部材が閉じた状態において、前記排出シュート部の最高高さ位置よりも低い位置に配置されていて、
前記搬送最下流側に位置する第２の当接部材と前記排出シュート部との間には、前記搬送最下流側の第２の当接部材と前記第２の回転駆動部材との当接位置より前記原稿を上方に案内するための案内部材または弾性支持片のうち少なくともいずれか一方、若しくは双方を備えたことを特徴とする原稿搬送装置。
【請求項２】
前記第２の回転駆動部材は、反転ローラであって、前記反転ローラの周面の一部が前記読取手段の読取面に対向して配置され、
前記第２の当接部材は前記反転ローラに弾力的に押圧される複数の従動ローラであって、前記カバー部材が開いたときには少なくとも前記複数の従動ローラのうち少なくとも一部が前記反転ローラの周面から離間することを特徴とする請求項１に記載の原稿搬送装置。
【請求項３】
前記カバー部材は、前記反転ローラから離間した回動軸であって、且つ前記給紙トレイ部よりも排紙トレイ部に近い位置に設けられた回動軸を中心に回動可能に構成され、
前記カバー部材は、前記原稿搬送経路のうち、前記読取手段の読取面に対向して配置された前記反転ローラの周面の一部を除く部分を開放可能に構成され、
前記カバー部材を閉じたときには前記第１及び第２の当接部材がそれぞれ前記第１及び反転ローラに弾力的に押圧されると共に、
前記カバー部材が開いたときには少なくとも前記第２の当接部材の少なくとも一部が前記反転ローラから離間するように構成されていることを特徴とする請求項２に記載の原稿搬送装置。
【請求項４】
前記案内部材は、前記反転ローラの左右両側方に配置される被嵌部材の外周面から一体的に形成され、且つ、前記従動ローラのうち前記反転ローラの周面に対して搬送方向最下流側にて当接する位置に相当する高さ位置から前記排出シュート部における搬送方向最上流部に向かって近接するように傾斜状に延びていることを特徴とする請求項２または３に記載の原稿搬送装置。
【請求項５】
前記案内部材における最上端部は、前記従動ローラのうち前記反転ローラの周面に対して搬送方向最下流側にて当接する位置に相当する高さ位置よりも高い位置になるように形成され、且つ、前記排出シュート部における搬送方向最下流側の高さ位置部位よりも低い位置になるように形成されていることを特徴とする請求項４に記載の原稿搬送装置。
【請求項６】
前記弾性支持片はその側断面がほぼＬ字型に形成され、前記弾性支持片の基端部を前記反転ローラの左右両側方に配置される被嵌部材に固定し、前記弾性支持片のほぼＬ字型から下向きに延伸する傾き自由端部は、前記被嵌部材に穿設されたスリット孔に挿入されていることを特徴とする請求項２乃至５のいずれかに記載の原稿搬送装置。
【請求項７】
前記カバー部材の内面には、原稿の搬送方向と直交する方向に適宜間隔でリブが形成され、前記弾性支持片は前記リブの配置箇所の間に配置されていることを特徴とする請求項６に記載の原稿搬送装置。
【請求項８】
前記搬送最下流側の第２の当接部材と前記第２の回転駆動部材との当接位置より前記原稿を掻上げるための掻き出しローラをさらに備えたことを特徴とする請求項６または７に記載の原稿搬送装置。
【請求項９】
給紙トレイ部のうち最後部には、排出された原稿の先端が給紙トレイ部の最後部から滑り落ちないようにするための原稿ストッパー体が設けられていることを特徴とする請求項１乃至８のいずれかに記載の原稿搬送装置。
【請求項１０】
前記給紙トレイ部のうち最後部には、前記原稿ストッパー体が嵌まり得る上方開放状の凹所を形成し、該凹所内で前記原稿ストッパー体の基部を上流側に折り畳み可能に収納可能とする構成を備えたことを特徴とする請求項９に記載の原稿搬送装置。
【請求項１１】
前記排出シュート部の少なくとも一部の上方に、庇状上部案内部材をさらに備えたことを特徴とする請求項１乃至１０のいずれかに記載の原稿搬送装置。
【請求項１２】
前記分離・搬送手段における第１の回転駆動部材は搬送方向に隔てた２つの駆動ローラからなり、この２つの駆動ローラに対してそれぞれパッド状の第１の当接部材が弾力的に付勢されていることを特徴とする請求項１乃至１１のいずれかに記載の原稿搬送装置。
【発明の詳細な説明】
【技術分野】
【０００１】
本発明は、搬送される原稿の画像を読取位置で読み取る読取手段を有する画像読取装置に搭載される原稿搬送装置に関するものであって、特に、原稿を給紙部から前記読取位置を経て排紙部まで搬送する略Ｕターン形状の原稿搬送路が備えられ、排紙トレイに読取後の原稿を堆積させるときに、供給時の原稿の堆積順序通りに堆積させることができる原稿搬送装置（原稿堆積揃え装置）に関するものである。
【背景技術】
【０００２】
一般的に、搬送される原稿の画像記録面を読み取ることができる画像読取装置においては、原稿通過用透明板（ガラス板）の下面に接触型ラインイメージセンサ等の画像読取手段が配置されており、原稿通過用透明板の上面に対して開閉可能な蓋状カバー体の上面に備えられた自動原稿搬送装置により、給紙トレイ上に堆積された複数の枚の原稿を１枚ずつ分離しながら原稿通過用透明板上に搬送し、画像読取手段にて原稿の画像記録面を読み取った後、排紙トレイ部に排出するように構成されている。
【０００３】
その場合の原稿搬送路は、特許文献１に示すように、上部側に配置された原稿の給紙部から原稿読取位置を経て下方側に配置された排紙部に至る略Ｕターン形状の原稿搬送路を有するいわゆる上給紙方式の自動原稿搬送装置と、特許文献２に示すように、下部側に配置された原稿の給紙部から原稿読取位置を経て上方側に配置された排紙部に至る略Ｕターン形状の原稿搬送路を有するいわゆる下給紙方式の自動原稿搬送装置とに大別できる。
【０００４】
上記下給紙方式の自動原稿搬送装置では、原稿の給紙部（給紙トレイ）に、画像記録面を下向きにして載置することにより、読取部では原稿通過用透明板の上面（表面）に画像記録面が対向するようして原稿が搬送され、Ｕターン形状の原稿搬送路を介して排紙部（排紙トレイ）に排出されたときには、画像記録面が上向きになるようにして載置されることになる。
【特許文献１】特開２００３−７６０７４号公報（図１参照）
【特許文献２】特開２００３−３３５３７２号公報（図１参照）
【発明の開示】
【発明が解決しようとする課題】
【０００５】
ところで、下給紙方式の自動原稿搬送装置である特許文献２の装置にて、複数枚の原稿を原稿の給紙部（給紙トレイ）に堆積させておき、堆積の最上層から順に１枚ずつに分離搬送し、画像を読み取った後に排紙部（排紙トレイ）に排出するという連続搬送読取作業を行なう場合、Ｕターン形状の原稿搬送路の終端に配置された排紙ローラ対のニップの高さ位置が排紙部（排紙トレイ）の排出方向上流側端部よりも高い位置にある。換言すると、排紙部（排紙トレイ）の排出方向上流側端部が下流側よりも低くなるように傾斜状であって、且つ排紙ローラ対のニップの高さ位置より低くなるように排紙部（排紙トレイ）が形成されているため、先行して排出された原稿の上面に後続の原稿が堆積することになる。しかも各原稿における画像記録面は上向きとなっている。
【０００６】
そうすると、排紙部（排紙トレイ）での画像記録面が上向きの原稿の堆積順序は、給紙部で堆積した順序と全く逆の順序となる。これを元の順序に並べ替えるには、人手に頼らなければならず、多大の時間と労力を要するという問題があった。
【０００７】
本発明は、このような課題を解消し、下位置に給紙部（給紙トレイ部）を配置し、上位置に排紙部（排紙トレイ部）を有してＵターン状の原稿搬送経路を有する原稿読取装置に用いられる自動原稿搬送装置において、給紙部の堆積した順序通りに排紙部で原稿を堆積できる（これを以下、正順堆積という）原稿搬送装置を提供することを目的とするものである。
【課題を解決するための手段】
【０００８】
上記目的を達成するために、請求項１に記載の発明における原稿搬送装置は、所定の搬送方向に搬送される原稿の画像を読取位置で読み取る読取手段を有する画像読取装置に搭載され、下側に配置された給紙トレイ部から前記読取位置へ原稿を搬送する第１の搬送方向と、前記読取位置を経て前記給紙トレイ部より上側に配置された排紙トレイ部まで原稿を搬送する第２の搬送方向とからなる略Ｕターン形状の原稿搬送路が備えられる原稿搬送装置において、前記給紙トレイ部に堆積状態にて載置された複数の原稿から１の原稿を分離して第１の搬送方向に搬送するために第１の回転駆動部材と第１の当接部材とからなり、その両者のうち何れか一方または双方が相手に弾力的に当接可能に構成された分離・搬送手段と、前記分離・搬送手段によって搬送されてきた原稿を前記読取位置に搬送した後に前記第２の搬送方向に反転してさらに搬送するために第２の回転駆動部材とこの第２の回転駆動部材に弾力的に当接可能な第２の当接部材からなる反転搬送手段と、前記第１及び第２の当接部材が配置されて開閉可能なカバー部材とを備え、前記カバー部材には、前記給紙トレイ部から原稿を導入する吸入シュート部と、この吸入シュート部よりも上部に位置して、前記第２の回転駆動部材により反転搬送される原稿を前記排紙トレイ部まで導く排出シュート部とが設けられ、前記読取位置より搬送下流側に配置された第２の当接部材は、搬送方向に沿って少なくとも２つ設けられ、搬送最下流側に位置する第２の当接部材と前記第２の回転駆動部材との当接位置は、前記カバー部材が閉じた状態において、前記排出シュート部の最高高さ位置よりも低い位置に配置されていて、前記搬送最下流側に位置する第２の当接部材と前記排出シュート部との間には、前記搬送最下流側の第２の当接部材と前記第２の回転駆動部材との当接位置より前記原稿を上方に案内するための案内部材または弾性支持片のうち少なくともいずれか一方、若しくは双方を備えたものである。
【０００９】
請求項２に記載の発明は、請求項１に記載の原稿搬送装置において、前記第２の回転駆動部材は、反転ローラであって、前記反転ローラの周面の一部が前記読取手段の読取面に対向して配置され、
前記第２の当接部材は前記反転ローラに弾力的に押圧される複数の従動ローラであって、前記カバー部材が開いたときには少なくとも前記複数の従動ローラのうち少なくとも一部が前記反転ローラの周面から離間するものである。
【００１０】
請求項３に記載の発明は、請求項２に記載の原稿搬送装置において、前記カバー部材は、前記反転ローラから離間した回動軸であって、且つ前記給紙トレイ部よりも排紙トレイ部に近い位置に設けられた回動軸を中心に回動可能に構成され、前記カバー部材は、前記原稿搬送経路のうち、前記読取手段の読取面に対向して配置された前記反転ローラの周面の一部を除く部分を開放可能に構成され、前記カバー部材を閉じたときには前記第１及び第２の当接部材がそれぞれ前記第１及び反転ローラに弾力的に押圧されると共に、前記カバー部材が開いたときには少なくとも前記第２の当接部材の少なくとも一部が前記反転ローラから離間するように構成されているものである。
【００１１】
請求項４に記載の発明は、請求項２または３に記載の原稿搬送装置において、前記案内部材は、前記反転ローラの左右両側方に配置される被嵌部材の外周面から一体的に形成され、且つ、前記従動ローラのうち前記反転ローラの周面に対して搬送方向最下流側にて当接する位置に相当する高さ位置から前記排出シュート部における搬送方向最上流部に向かって近接するように傾斜状に延びているものである。
【００１２】
請求項５に記載の発明は、請求項４に記載の原稿搬送装置において、前記案内部材における最上端部は、前記従動ローラのうち前記反転ローラの周面に対して搬送方向最下流側にて当接する位置に相当する高さ位置よりも高い位置になるように形成され、且つ、前記排出シュート部における搬送方向最下流側の高さ位置部位よりも低い位置になるように形成されているものである。
【００１３】
請求項６に記載の発明は、請求項２乃至５のいずれかに記載の原稿搬送装置において、前記弾性支持片はその側断面がほぼＬ字型に形成され、前記弾性支持片の基端部を前記反転ローラの左右両側方に配置される被嵌部材に固定し、前記弾性支持片のほぼＬ字型から下向きに延伸する傾き自由端部は、前記被嵌部材に穿設されたスリット孔に挿入されているものである。
【００１４】
請求項７に記載の発明は、請求項６に記載の原稿搬送装置において、前記カバー部材の内面には、原稿の搬送方向と直交する方向に適宜間隔でリブが形成され、前記弾性支持片は前記リブの配置箇所の間に配置されているものである。
【００１５】
請求項８に記載の発明は、請求項６または７に記載の原稿搬送装置において、前記搬送最下流側の第２の当接部材と前記第２の回転駆動部材との当接位置より前記原稿を掻上げるための掻き出しローラをさらに備えたものである。
【００１６】
請求項９に記載の発明は、請求項１乃至８のいずれかに記載の原稿搬送装置において、給紙トレイ部のうち最後部には、排出された原稿の先端が給紙トレイ部の最後部から滑り落ちないようにするための原稿ストッパー体が設けられているものである。
【００１７】
請求項１０に記載の発明は、請求項９に記載の原稿搬送装置において、前記給紙トレイ部のうち最後部には、前記原稿ストッパー体が嵌まり得る上方開放状の凹所を形成し、該凹所内で前記原稿ストッパー体の基部を上流側に折り畳み可能に収納可能とする構成を備えたものである。
【００１８】
請求項１１に記載の発明は、請求項１乃至１０のいずれかに記載の原稿搬送装置において、前記排出シュート部の少なくとも一部の上方に、庇状上部案内部材をさらに備えたものである。
【００１９】
請求項１２に記載の発明は、請求項１乃至１１のいずれかに記載の原稿搬送装置において、前記分離・搬送手段における第１の回転駆動部材は搬送方向に隔てた２つの駆動ローラからなり、この２つの駆動ローラに対してそれぞれパッド状の第１の当接部材が弾力的に付勢されているものである。
【発明の効果】
【００２０】
請求項１に記載の発明によれば、原稿搬送装置は、所定の搬送方向に搬送される原稿の画像を読取位置で読み取る読取手段を有する画像読取装置に搭載され、下側に配置された給紙トレイ部から前記読取位置へ原稿を搬送する第１の搬送方向と、前記読取位置を経て前記給紙トレイ部より上側に配置された排紙トレイ部まで原稿を搬送する第２の搬送方向とからなる略Ｕターン形状の原稿搬送路が備えられている。そして、前記給紙トレイ部に堆積状態にて載置された複数の原稿から１の原稿を分離して第１の搬送方向に搬送するために第１の回転駆動部材と第１の当接部材とからなり、その両者のうち何れか一方または双方が相手に弾力的に当接可能に構成された分離・搬送手段と、前記分離・搬送手段によって搬送されてきた原稿を前記読取位置に搬送した後に前記第２の搬送方向に反転してさらに搬送するために第２の回転駆動部材とこの第２の回転駆動部材に弾力的に当接可能な第２の当接部材からなる反転搬送手段と、前記第１及び第２の当接部材が配置されて開閉可能なカバー部材とを備え、前記カバー部材には、前記給紙トレイ部から原稿を導入する吸入シュート部と、この吸入シュート部よりも上部に位置して、前記第２の回転駆動部材により反転搬送される原稿を前記排紙トレイ部まで導く排出シュート部とが設けられているので、画像記録面を下向きにした複数の原稿を給紙トレイ部に堆積させておくと、その堆積の最上層の原稿から順に１枚ずつ分離搬送され、読取位置で画像記録面のデータを読み取った後に、第２の回転駆動部材と第２の当接部材とからなる反転搬送手段にて、読取後の原稿は反転された状態、即ち、画像記録面を上向きにして排出シュート部から排紙トレイ部へ排出できる。
【００２１】
その場合、本願発明では、前記読取位置より搬送下流側に配置された第２の当接部材は、搬送方向に沿って少なくとも２つ設けられ、搬送最下流側に位置する第２の当接部材と前記第２の回転駆動部材との当接位置は、前記カバー部材が閉じた状態において、前記排出シュート部の最高高さ位置よりも低い位置に配置されていて、前記搬送最下流側に位置する第２の当接部材と前記排出シュート部との間には、前記搬送最下流側の第２の当接部材と前記第２の回転駆動部材との当接位置より前記原稿を上方に案内するための案内部材または弾性支持片のうち少なくともいずれか一方、若しくは双方を備えているので、先行して排出された原稿の下方に次の原稿が確実に排出される。即ち、排出された原稿の堆積順序を正順にした状態で排紙トレイ部に堆積できるのである。従って、ユーザーは給紙トレイ部に堆積させた正順状態の原稿をそのまま取り出せることができ、原稿の並べ替えの手間が掛からないという顕著な効果を奏する。
【００２２】
請求項２に記載の発明によれば、前記第２の回転駆動部材は、反転ローラであって、前記反転ローラの周面の一部が前記読取手段の読取面に対向して配置され、
前記第２の当接部材は前記反転ローラに弾力的に押圧される複数の従動ローラであって、前記カバー部材が開いたときには少なくとも前記複数の従動ローラのうち少なくとも一部が前記反転ローラの周面から離間するものである。
【００２３】
従って、請求項１の発明の効果に加えて、カバー部材を開くだけで、略Ｕターン形状の原稿搬送路のうち、下側に配置された給紙トレイ部から前記読取位置へ原稿を搬送する第１の搬送方向と、前記読取位置を経て前記給紙トレイ部より上側に配置された排紙トレイ部まで原稿を搬送する第２の搬送方向の大部分が開放されて、詰まった紙を簡単に除去できるという効果を奏する。
【００２４】
請求項３に記載の発明によれば、カバー部材を開いたときには、前記複数の従動ローラのうち少なくとも一部と、前記第１の当接部材とが前記反転ローラから離間し、且つ前記原稿搬送経路のうち、前記読取手段の読取面に対向して配置された前記反転ローラの周面の一部を除く部分を開放可能に構成されているものであるから、前記第１の当接部材及び従動ローラはそれぞれ第１の回転駆動部材と反転ローラとから大きく離間でき、且つ前記原稿搬送経路のうち、前記読取手段の読取面に対向して配置された前記反転ローラの周面の一部を除く部分を大きく開放でき、紙ジャムの処理が簡単になる。
【００２５】
請求項４に記載の発明によれば、前記案内部材は、前記反転ローラの左右両側方に配置される被嵌部材の外周面から一体的に形成され、且つ、前記従動ローラのうち前記反転ローラの周面に対して搬送方向最下流側にて当接する位置に相当する高さ位置から前記排出シュート部における搬送方向最上流部に向かって近接するように傾斜状に延びているものであるので、従動ローラのうち反転ローラの周面に対して搬送方向最下流側にて当接する位置から開放された原稿は、先に排出されて排出シュート部上に堆積されている原稿の下面側に後続する原稿の先端が近づいて排出シュート部上に誘い込まれるように搬送でき、排紙トレイ部に排出された原稿の堆積順序は給紙トレイ部に載置した状態と同じにできるのである。
【００２６】
請求項５に記載の発明によれば、前記案内部材における最上端部は、前記従動ローラのうち前記反転ローラの周面に対して搬送方向最下流側にて当接する位置に相当する高さ位置よりも高い位置になるように形成され、且つ、前記排出シュート部における搬送方向最下流側部位の高さ位置よりも低い位置になるように形成されている。
【００２７】
従って、先に排出されて排出シュート部上に堆積されている原稿の下面側に後続する原稿の先端が近づいて排出シュート部上に誘い込まれるように搬送でき、排出された原稿の堆積順序は給紙トレイ部に載置した状態と同じにできるのである。
【００２８】
請求項６に記載の発明によれば、前記弾性支持片はその側断面がほぼＬ字型に形成され、前記弾性支持片の基端部を前記反転ローラの左右両側方に配置される被嵌部材に固定し、前記弾性支持片のほぼＬ字型から下向きに延伸する傾き自由端部は、前記被嵌部材に穿設されたスリット孔に挿入されているものである。
【００２９】
この構成によれば、搬送方向最下流側部位の従動ローラと反転ローラとの当接位置から開放された原稿は弾性支持片に載るが、原稿の重さにより弾性支持片は若干下向きに撓む。この状態で弾性支持片自体の弾性力で持ち上げられた原稿の自由端部はほぼ水平状態のまま、排出シュート部上に向かって排出できる。そして、弾性支持片のほぼＬ字型から下向きに延伸する傾いた自由端部は被嵌部材に穿設されたスリット孔に挿入されるので、原稿が載っている弾性支持片が下向きに撓むとき、その自由端部の位置がスリット孔に沿って上下に移動するので、弾性支持片の変形方向が規制され、先に排出されて排出シュート部における搬送方向最下流側部位に堆積されている原稿の下面側に後続する原稿の先端が近づいて排出シュート部上に誘い込まれるように搬送できる。従って、排出された原稿の堆積順序は給紙トレイ部に載置した状態と同じにでき、その堆積順序を正順にすることを一層確実にできるのである。
【００３０】
請求項７に記載の発明によれば、前記カバー部材の内面には、原稿の搬送方向と直交する方向に適宜間隔でリブが形成され、前記弾性支持片は前記リブの配置箇所の間に配置されているものであるから、前記弾性支持片の上下動範囲を大きくでき、排出される原稿に対する弾性支持片による持ち上げ作用を一層確実に与えることができる。
【００３１】
請求項８に記載の発明によれば、前記搬送最下流側の第２の当接部材と前記第２の回転駆動部材との当接位置より前記原稿を掻上げるための掻き出しローラをさらに備えたものである。この構成によっても、当接位置から開放された原稿は積極的に掻上げられて、先に排出されて排出シュート部上に堆積されている原稿の下面側に後続する原稿の先端が近づいて排出シュート部上に誘い込まれるから、排出された原稿の堆積順序を正順にすることを一層確実にできるのである。
【００３２】
請求項９に記載の発明によれば、前記給紙トレイ部のうち最後部に原稿ストッパー体が設けられているものであるから、給紙トレイ部より上方の排紙トレイ部に排出された原稿の先端が給紙トレイ部の最後部から滑り落ちないようにできるという効果を奏する。
【００３３】
請求項１０に記載の発明によれば、前記給紙トレイ部のうち最後部には、前記原稿ストッパー体が嵌まり得る上方開放状の凹所を形成し、該凹所内で前記原稿ストッパー体の基部を上流側に折り畳み可能に収納可能とする構成を備えたものである。従って、読取機能の不使用時や画像記録装置の梱包時に給紙トレイ部の外や上面側に原稿ストッパー体がはみ出さずコンパクトになるという効果を奏する。
【００３４】
請求項１１に記載の発明によれば、前記排出シュート部の少なくとも一部の上方に、庇状上部案内部材をさらに備えたものであるから、先に排出されて排出シュート部上に堆積されている原稿の搬送上流側が庇状上部案内部材の下面に規制されて排出シュート部とほぼ平行の堆積状態を保持できるから、その下面側に後続する原稿の先端が円滑に誘導され易くなる。従って、排出された原稿の堆積順序を正順序にした状態で多数枚を堆積できるのである。
【００３５】
請求項１２に記載の発明によれば、前記分離・搬送手段における第１の回転駆動部材は搬送方向に隔てた２つの駆動ローラからなり、この２つの駆動ローラに対してそれぞれパッド状の第１の当接部材が弾力的に付勢されているものである。
【００３６】
従って、２つの駆動ローラを同時に回転駆動させ易く、また、各駆動ローラに対するパッド状の当接部材で当接部を形成するから、当接位置を適宜に選択することができる。さらに、パッド状の当接部材を押圧手段にて駆動ローラに押圧するからその押圧力の調整が容易になり、且つ押圧手段の構成も簡単にできるという効果を奏する。
【発明を実施するための最良の形態】
【００３７】
以下、本発明を実施するための最良の形態について図面に基づいて説明する。図１は本発明の画像読取装置を備えた多機能装置の斜視図、図２は平面図、図３は原稿搬送装置（ＡＤＦ）における原稿搬送経路を覆うカバー部材としての搬送部カバー体を開いた（開放した）状態の斜視図、図４は搬送部カバー体を大きく開いた状態の平面図、図５（ａ）は画像読取装置の図２のVa−Va線矢視断面図、図５（ｂ）は画像読取装置の図２のVb−Vb線矢視断面図、図６は図５（a ）の要部拡大断面図、図７は画像読取位置での原稿をガラス板に押圧する押圧部材及び従動ローラを押圧・離間させる手段の箇所を示す拡大断面図、図８は搬送部カバー体を開放した状態の拡大平面図、図９は図８のIX−IX線矢視拡大断面図、図１０は駆動系を示す図、図１１は反転ローラ及び押圧部材等の箇所を示す拡大斜視図、図１２は静止原稿を押圧する押圧板等の斜視図、図１３は他の実施形態を示す拡大断面図である。
【００３８】
本発明の実施形態は、ファクシミリ機能、スキャナ機能、複写機能及びプリンタ機能を備えた多機能装置１における画像読取装置２とその原稿搬送装置３に適用したものである。
【００３９】
図１及び図２に示すように、多機能装置１の本体ケース４の上面には、その前寄り部位に、ファクシミリ機能、スキャナ機能、複写機能を実行するためのテンキーや各種作業を指令するためのボタンキー、指令内容表示やエラー表示等を行う液晶パネルなどを備えた操作パネル部５が配置されている。操作パネル部５の後方には、スキャナ機能を実行するための画像読取装置２とそれに搭載される原稿搬送装置３とが配置されている。図５（ａ）及び図５（ｂ）に示すように、画像読取装置２におけるケース２ａ上には静止原稿載置用及び搬送原稿用の透明板部材として兼用されるガラス板６が配置されている。従って、ガラス板６は請求項にいう第１の透明部材及び第２の透明部材を兼用する。ガラス板６の下方には、原稿の画像記録面を読取るためのライン形の読取手段８（例えば、密着形イメージセンサ：ＣＩＳ（Contact Image Sensor）等）を備えている。図１のＸ方向に沿った直線状のガイド軸９に載置されて往復移動可能なライン形の読取手段８は図１のＹ方向に直線的に長く形成されている。
【００４０】
画像読取装置２におけるケース２ａはその一側端部（実施形態では、図１及び図２の左側端）側で本体ケース４に水平に設けられた枢軸７（図５（ａ）及び図５（ａ）参照）を中心に上下回動可能に装着されている。
【００４１】
画像読取装置２に対して原稿を搬送する原稿搬送装置３（自動原稿供給装置（ＡＤＦともいう）は、ガラス板６上に画像記録面を当接させて載置する静止原稿を押圧する押圧板体１０（請求項でいう第２の押圧部材に相当）の上部に設けられる。合成樹脂製の押圧板体１０はその後端（操作パネル部５と反対側）の蝶番１０ａ（図２及び図４で一方のみ示す）を介してケース２ａに対して上下回動可能に装着されている。なお、この押圧板体１０の下面には、スポンジ及び白板等からなる押え体（図示せず）を貼り付けても良い。
【００４２】
図５（ａ）、図５（ｂ）、図６及び図７に示すように、ガラス板６の左端部に読取手段８を静止させた位置であって、ガラス板６の上面に接着されたＹ方向に長い案内片１１を挟んで左側の領域が後述するように第１の搬送方向に搬送される原稿Ｄの画像記録面を下向きにして部分的に露出される露出開口部３６となり、ＣＩＳの検出位置の上方が搬送原稿の読取位置Ｒｅとなる。ガラス板６の上面に接着されたＹ方向に長い案内片１１を挟んで右側の領域が静止原稿の読取領域となる。読取手段８は請求項にいう第１及び第２の読取手段を兼用するものである。
【００４３】
本発明の第１実施形態に係る原稿搬送装置３は、図１〜図７に示すように、押圧板体１０の上方の略全体を覆う上カバー１２の上面に形成される給紙トレイ部１３と、この給紙トレイ部１３より上側に配置され、且つ給紙トレイ部１３よりもＸ方向の長さの短い排紙トレイ部１４とに隣接するように配置されている。原稿搬送装置３は、給紙トレイ部１３の一側部（Ｘ方向の一端部）に位置する読取位置Ｒｅ（図５（ａ）及び図６参照）まで原稿Ｄを搬送する第１の搬送方向と、読取位置Ｒｅから排紙トレイ部１４まで原稿Ｄを搬送する第２の搬送方向とからなる略Ｕターン形状の原稿搬送路が備えられている。他方、上カバー１２の上面側に突出する一対の原稿ガイド１３ａの上面に排紙トレイ部１４が一体的に設けられている。そして、周知の連動機構１３ｂ（図５（ａ）、図５（ｂ）参照）により、一方の原稿ガイド１３ａを手で動かすと、一対の原稿ガイド１３ａが同時にＹ方向に移動して原稿ＤのＹ方向の幅寸法に応じて広狭調節可能となるように構成されている。このように、排紙トレイ部１４のＸ方向の長さが短いから、給紙トレイ部１３の他端部寄り部位（原稿搬送路が配置されている側から最も離れた反対側）は、読取後に排出された原稿Ｄを堆積させる積載部と兼用することになる。このように、給紙トレイ部１３のうち第１の搬送方向の上流側部位は読取後の原稿Ｄを堆積させる積載部と兼用されているものであるから、原稿Ｄを堆積させる箇所の高さ寸法を小さくできて装置をコンパクトにできるという効果を奏する。そして、上カバー１２（給紙トレイ部１３）の他端部（最後部）には、排出された原稿Ｄの先端が給紙トレイ部１３の最後部から滑り落ちないようにするための原稿ストッパー体３４が設けられている。その場合、上カバー１２の最後部には、原稿ストッパー体３４が嵌まり得る上方開放状の凹所３５を形成し、該凹所３５内で原稿ストッパー体３４の基部を上流側回動可能に枢着する等して折り畳み可能等の収納可能とする構成を採用すると、多機能装置１の不使用時や梱包時に給紙トレイ部１３（本体ケース４）外や上面側に原稿ストッパー体３４がはみ出さずコンパクトになるという効果を奏する。
【００４４】
原稿搬送装置３には、給紙トレイ部１３に堆積状態にて載置された複数枚の原稿Ｄから１枚の原稿を分離して第１の搬送方向（読取位置Ｒｅに近づく方向）に搬送するための第１の回転駆動部材と第１の当接部材とからなり、その両者のうち何れか一方または双方が相手に弾力的に当接可能に構成された分離・搬送手段と、該分離・搬送手段によって搬送されてきた原稿を読取位置Ｒｅから第２の搬送方向に反転してさらに搬送するために第２の回転駆動部材とこの第２の回転駆動部材に弾力的に当接可能な第２の当接部材からなる反転搬送手段と、反転搬送手段から離間し、且つ給紙トレイ部１３よりも排紙トレイ部１４に近い位置に設けられた回動軸を中心に回動可能であって、第１及び第２の当接部材のうち少なくとも第２の当接部材が配置されると共に、原稿の少なくとも一部の搬送経路を開放可能なカバー部材とを備える。
【００４５】
実施形態では、図５〜図７及び図９等に示すように、第１の回転駆動部材としての２つの回転駆動ローラ（搬送上流側に吸入ローラ１５、下流側に分離ローラ１６）と第２の回転駆動部材としての大径の反転ローラ２０とが、押圧板体１０の上面であって、原稿Ｄの搬送方向と直交する方向（原稿Ｄの横幅方向）の略中央部位に配置されている（図１２参照）。反転ローラ２０を支持する駆動軸２８の回転中心線は平面視において読取位置Ｒｅの軸線と重なることで、反転ローラ２０の周面のうちの下端面は読取手段８による読取面と対向することになる。
【００４６】
吸入ローラ１５及び分離ローラ１６の上面にそれぞれ弾力的に当接可能な第１の当接部材としてのパッド状部材（吸入ローラ１５に対して吸入ニップ片１７、分離ローラ１６に対して分離パッド１８）と、反転ローラ２０に弾力的に当接可能な複数の第２の当接部材である自由回転可能な従動ローラのうち第２ピンチローラ２２及び第３ピンチローラ２３とが、カバー部材としての側断面略Ｌ字状の蓋カバー体１９の内面に配置されている（図３及び図９参照）。なお、図５（ａ）、図５（ｂ）〜図７及び図９には、後述する庇状上部案内部材５２は記載されていない。
【００４７】
第２ピンチローラ２２及び第３ピンチローラ２３は、側断面略Ｌ状の金属板製のバネ片２７に両端にそれぞれ軸支持され、そのバネ片２７の中途部が蓋カバー体１９の内面に固着されている。分離ローラ１６よりも搬送下流側に配置されて反転ローラ２０に当接可能な従動ローラの第１ピンチローラ２１は、押圧板体１０の上面にてＸ方向に移動可能に配置された金属製等のフレーム２４に装着されている。フレーム２４の後端を反転ローラ２０に向かって弾力的に押圧するための付勢（ばね）手段である圧縮コイルばね２５の後端は支持片２６に支持されている（図６及び図７参照）。
【００４８】
前記実施形態では、第１の回転駆動部材としての２つの回転駆動ローラ（搬送上流側に吸入ローラ１５、下流側に分離ローラ１６）に対して第１の当接部材（吸入ニップ片１７、分離パッド１８）が弾力的に当接可能に構成されているが、その逆に、第１の当接部材（吸入ニップ片１７、分離パッド１８）に対して、第１の回転駆動部材としての２つの回転駆動ローラ（搬送上流側に吸入ローラ１５、下流側に分離ローラ１６）を弾力的に当接可能に構成されていても良い。
【００４９】
蓋カバー体１９には、第３ピンチローラ２３よりも搬送下流側に、排出シュート部としての原稿Ｄの幅方向に沿って長手の排紙補助ガイド板２９が設けられている。この排紙補助ガイド板２９の前端部２９ａ（搬送上流側）は反転ローラ２０の上面より下位置にあるように傾斜状に形成されており、排紙補助ガイド板２９の前端縁と蓋カバー体１９における上部屋根１９ａの搬送下流側の端縁１９ｂとの間が搬送される原稿Ｄの排出口となる。この排紙補助ガイド板２９の上面の搬送下流側の水平部２９ｂは、同じく水平状態の排紙トレイ部１４の上面の搬送上流側に続くように略同じ高さ位置に設けられている。吸入ニップ片１７、分離パッド１８は、蓋カバー体１９における排紙補助ガイド板２９の下面側でそれぞれ基端側（上端側）を中心にして上下回動可能であり、吸入ニップ片１７は押圧手段である圧縮コイルばね３０を介して吸入ローラ１５に、分離パッド１８は押圧手段である板バネ３１を介して分離ローラ１６の上面に、それぞれ押圧付勢されている。吸入ニップ片１７と吸入ローラ１５との間に給紙トレイ部１３に堆積された原稿Ｄが吸い込まれるように構成しているので、排紙補助ガイド板２９の下面側は給紙トレイ部１３からの原稿Ｄの吸入シュート部３２に相当する。
【００５０】
そして、蓋カバー体１９は、排紙補助ガイド板２９の下面側であって、吸入ニップ片１７の基部近傍（分離搬送手段に近い位置、反転ローラ２０から遠い側）の両側部から突出する回動軸（図示せず）を中心にして上下回動可能に構成されている。従って、図６及び図９に示すように、カバー部材を閉じたときには、吸入ニップ片１７は吸入ローラ１５の上面に、分離パッド１８は分離ローラ１６の上面に、第２ピンチローラ２２及び第３ピンチローラ２３は反転ローラ２０の反転側周面にそれぞれ弾力的に押圧される。蓋カバー体１９を上向きに開き回動すると、第２ピンチローラ２２及び第３ピンチローラ２３が反転ローラ２０から大きく離間でき、蓋カバー体１９を略１２０度（図９参照）大きく回動すれば、吸入ニップ片１７及び分離パッド１８も、吸入ローラ１５及び分離ローラ１６からそれぞれ大きく離間でき、これらの当接部（ニップ部）で挟まれていた原稿Ｄを簡単に除去することができ、紙ジャムを解除できるのである。押圧手段であるコイルばね２５の付勢力に抗して移動できる第１ピンチローラ２１と反転ローラ２０との当接部（ニップ部）で挟まれていた原稿Ｄは前記付勢力にかかわらず抜き出すことができる。
【００５１】
なお、図７に示すように、コイルばね２５の後端を支持している支持片２６をＸ方向に移動可能とし、且つ支持片２６から突出している把手部２６ａを、上カバー体１２に穿設された長孔３３に臨ませておく等の構成の強制離間手段を採用することにより、作業者が指またはドライバー等の工具で把手部２６ａと共に支持片２６を動かし、コイルばね２５の付勢力に抗して第１ピンチローラ２１を反転ローラ２０の周面から離間させると、原稿Ｄを軽い力で抜き出せるから、簡単に紙ジャムを解除できる。
【００５２】
板状の排紙トレイ部１４の下面と給紙トレイ部１３との間には読取るべき原稿Ｄをその画像記録面を下向きにして堆積して載置できるものである。排紙トレイ部１４の水平状の下面と給紙トレイ部１３の上面との距離Ｈ２に対して、排紙トレイ部１４の吸入ローラ１５に近い先端側１４ａが低くなるように傾斜形成させて、給紙口の高さ寸法Ｈ３とし、Ｈ３＜Ｈ２に設定することにより（図６参照）、堆積させた原稿Ｄを吸入ローラ１５と吸入ニップ片１７との間への導入作用を円滑に行えるようにしている。また、吸入ローラ１５と吸入ニップ片１７とによる吸入手段を設けることにより、水平状の給紙トレイ部１３に堆積させた原稿Ｄを、分離ローラ１６と分離パッド１８とによる分離手段箇所に確実に届けることができる。この作用を確実にするため、吸入ローラ１５と分離ローラ１６との直径及び周速度が等しく設定されている。
【００５３】
図３、図７、図１１及び図１２に示すように、反転ローラ２０を挟んで左右両外側（原稿Ｄの幅方向）の下面側には、読取位置Ｒｅを含む露出開口部３６で原稿Ｄの画像記録面をガラス板６の表面に隙間なく押し付けるための第１の押圧部材４０を配置する。この第１の押圧部材４０は平板状で大判の押圧板体１０（第２の押圧部材）と一体的に成形（合成樹脂の射出成形）されている。その場合、図１２に示すように、第１の押圧部材４０の基部（原稿Ｄの幅方向の端縁寄り部位）は押圧板体１０の側部に設けられた反転ローラ２０の駆動軸２８の軸支部４２の近傍に一体的に連結されている。そして、一方の軸支部４２の外側には、駆動軸２８、吸入ローラ１５及び分離ローラ１６にそれぞれ回転駆動力を伝達するための伝動ギヤ機構４３及び駆動モータ４４が収納できる伝動部ケース４５が設けられている（図１〜図４、図１０及び図１２参照）。
【００５４】
各第１の押圧部材４０は下向き凸の略半円弧状のシェル状に形成されており、反転ローラ２０の左右両側に近い側には上向きの弾性フック体４１が一体的に形成され、この各弾性フック体４１が反転ローラ２０の駆動軸２８に被嵌して吊支されている。これにより、第１の押圧部材４０の下面のガラス板６に対する高さ位置を簡単な構成で確保することができる。
【００５５】
各第１の押圧部材４０の下面のうち露出開口部３６の領域に対応する範囲ではガラス板６の表面とほぼ平行状であって且つ反転ローラ２０の外周（下面）よりガラス板６の表面に若干近づくように形成されている。これにより、反転ローラ２０の外周に沿って搬送された原稿Ｄは一時的に反転ローラ２０の下面から離間させられて、原稿Ｄの画像記録面はガラス板６の表面に隙間なく押し付けられて読取手段８により正確な画像を読取ることができる。この場合、第１の押圧部材４０は、反転ローラ２０を挟んで、原稿Ｄの搬送方向と直交する原稿Ｄの幅方向の両側に配置され、ガラス板６と対面する部位が略平板状に形成されているものであるから、反転ローラ２０の原稿Ｄの幅方向の寸法を大きくすることなく、反転ローラ２０を挟む両側の第１の押圧部材４０により、画像読取領域において原稿Ｄの幅方向の全体にわたってほぼ均一に平面部を形成することができて、当該原稿Ｄの幅方向の画像を正確に読取ることができる。
【００５６】
また、第１の押圧部材４０の下面（読取位置Ｒｅを含む範囲）に白色のテープを添付または塗料を塗布することにより、読取手段８での基準となる色度、輝度の検出を実行できるようにする。
【００５７】
次に、反転ローラ２０の上側にて、第２搬送方向、つまり読取後の原稿ＤがＵターンされて排出シュート部としての排紙補助ガイド板２９ひいては排紙トレイ部１４に排出されるとき、各原稿Ｄの画像記録面が上向きであり、且つ先行して排出された原稿Ｄの下方に次の原稿Ｄが確実に排出されるようにする（排出された原稿Ｄの堆積順序を正順にする）ための構成について説明する。
【００５８】
その第１の実施形態の手段は、蓋カバー体１９を閉じた状態において、搬送最下流側の第３ピンチローラ２３と反転ローラ２０の周面のうちの上側とのニップ部（当接部）の高さ位置は、排紙補助ガイド板２９の前端部２９ａ（搬送上流側）より高い位置にあり、且つ排紙補助ガイド板２９の水平部２９ｂ（搬送下流側）の上面の高さ位置より低い位置にあるように設定されている（図６、図７及び図１３参照）。
【００５９】
このように構成すれば、給紙トレイ部１３で堆積され、且つ画像記録面が下向きの原稿Ｄはその最下層の第１枚目から順に分離ローラ１６と分離パッド１８との間で分離搬送され、第１ピンチローラ２１と反転ローラ２０の下側周面との当接部を経て露出開口部３６で、第１押圧部材４０にてガラス板６の表面に画像記録面が摺接されながら搬送されする。露出開口部３６の読取位置Ｒｅでその下方の読取手段８にて原稿Ｄの画像が読み取られた後、原稿Ｄは第２ピンチローラ及び第３ピンチローラと反転ローラ２０の周面での当接且つ搬送にて、蓋カバー体１９の上部屋根１９ａの搬送下流側の端縁１９ｂの下方の排出口から排紙される。そして、原稿Ｄの画像記録面が上向きの状態で排紙補助ガイド板２９及び排紙トレイ部１４の上面に載せられる。その場合、第３ピンチローラ２３と反転ローラ２０との当接高さ位置が排紙補助ガイド板２９の前端部２９ａ（搬送上流側）より高い位置にあり、且つ排紙補助ガイド板２９の水平部２９ｂ（搬送下流側）の上面の高さ位置より低い位置にあるので、先に排出されて排紙補助ガイド板２９上に堆積されている原稿Ｄの下面側に後続する原稿Ｄの先端が近づいて排紙補助ガイド板２９上に誘い込まれるので、排出された原稿Ｄの堆積順序は給紙トレイ部１３に載置した状態と同じになり、後で作業者が原稿Ｄの堆積順序を変更する必要がなくなる。
【００６０】
上記のような作用をさらに確実にするための第２の実施形態は、図３、図４、図６、図７及び図１３に示すように、反転ローラ２０を挟んで左右両外側の上側には、原稿Ｄの幅方向に延びるように、断面ほぼ半割り筒状の一対の被嵌部材４６を配置する。この各被嵌部材４６は各第１の押圧部材４０の上端に連設され、従って、駆動軸２８を上方から被嵌した形態であり、図示しない係合手段で各被嵌部材４６と各第１の押圧部材４０とを連結している。各被嵌部材４６における外周面には、第３ピンチローラ２３と反転ローラ２０との当接位置に相当する箇所から搬送下流側に斜め上方に延び、排出シュートである排紙補助ガイド板２９の始端側に近接する案内部材４７が一体的に形成されている。この各案内部材４７の最上端部４７ａは、第３ピンチローラ２３と反転ローラ２０との当接位置の高さ位置よりも高い位置になるように形成されている。この構成によれば、第３ピンチローラ２３と反転ローラ２０との当接位置から開放された原稿Ｄは傾斜状の案内部材４７に沿って上方に最上端部４７ａまで案内されるが、この最上端部４７ａは排紙補助ガイド板２９の水平部２９ｂより低い位置にあるので、先に排出されて排紙補助ガイド板２９上に堆積されている原稿Ｄの下面側に後続する原稿Ｄの先端が近づいて排紙補助ガイド板２９上に誘い込まれるように搬送でき、排出された原稿Ｄの堆積順序は給紙トレイ部１３に載置した状態と同じにできるのである。
【００６１】
排出された原稿Ｄの堆積順序を正順にするための第３の実施形態は、図１３に示すように、搬送最下流側の第３ピンチローラ２３と反転ローラ２０との当接位置より原稿Ｄを持ち上げるための弾性支持片４９を備える。この弾性支持片４９は、厚さ０．２mm〜１mm程度のＰＥＴ（ポリエチレンテレフタレート）等の腰の強い合成樹脂製の弾性板材からなり、断面ほぼＬ型に屈曲形成されているものである。そして、被嵌部材４６の外周面のうち原稿Ｄの幅方向の適宜位置の凹み部４６ａには、第３ピンチローラ２３と反転ローラ２０との当接位置の高さ位置の近傍にて弾性支持片４９の基端部が接着剤等にて固定されている。この弾性支持片４９は搬送下流側に向かって高い位置（排紙補助ガイド板２９の水平部２９ｂより高い位置）にあるように配置し、その最上縁４９ａから下向きに屈曲して延伸された自由端部４９ｂは、被嵌部材４６に穿設された溝（スリット）孔５０に挿入されているように配置する。この構成によれば、第３ピンチローラ２３と反転ローラ２０との当接位置から開放された原稿Ｄは弾性支持片４９に載るが、原稿Ｄの重さにより弾性支持片４９は若干下向きに撓む。この状態で弾性支持片４９自体の弾性力で持ち上げられた原稿Ｄの自由端部はほぼ水平状態のまま、排紙補助ガイド板２９上に向かって排出できる。従って、先に排出されて排紙補助ガイド板２９の水平部２９ｂ上に堆積されている原稿Ｄの下面側に後続する原稿Ｄの先端が近づいて排紙補助ガイド板２９上に誘い込まれるように搬送でき、排出された原稿Ｄの堆積順序は給紙トレイ部１３に載置した状態と同じにできるのである。
【００６２】
このように、弾性支持片４９はその側断面がほぼＬ字型に形成され、弾性支持片４９の基端部を反転ローラ２０の左右両側方に配置される被嵌部材４６の外周に固定し、弾性支持片４９のほぼＬ字型から下向きに延伸する傾いた自由端部４９ｂは、被嵌部材４６に穿設されたスリット孔５０に挿入されているので、原稿Ｄが載って弾性支持片４９が弾性により下向きに撓むとき、その自由端部４９ｂの位置がスリット孔５０に沿って上下に移動するので、弾性支持片４９の変形方向が規制されて、先行する原稿Ｄの下面に後続の原稿Ｄの先端が近づく作用を一層確実にできる。
【００６３】
さらに、蓋カバー体１９の内面には、Ｘ方向に沿って搬送下流側の端縁１９ｂにまで延びる長手のリブ１９ｃがＹ方向に適宜間隔にて一体的に形成されている（図３、図４、図７、図９、図１０、図１３及び図１４参照）。これら適宜位置の複数のリブ１９ｃの間に、弾性支持片４９が配置されるように構成すれば（図１４参照）、最上縁４９ａの上下動範囲を大きくできて、排出される原稿Ｄに対する弾性支持片４９による持ち上げ作用を一層確実に与えることができる。
【００６４】
排出された原稿Ｄの堆積順序を正順にするための第４の実施形態は、同じく図１３に示すように、搬送最下流側の第３ピンチローラ２３とほぼ同じ高さ位置に設けた掻き出しローラ５１によるものであって、円筒形ローラの外周に円周方向に適宜間隔で突起が設けられた形態や断面拍車型のローラもしくは厚みの薄い板状の拍車であって良く、これら複数の掻き出しローラ５１を被嵌部材４６の外周面または反転ローラ２０の外周面と対峙さて配置する。被嵌部材４６の外周面と対峙させるときは掻き出しローラ５１を積極的に回転駆動させることが望ましい。これらの構成によれば、掻き出しローラ５１の回転により、第３ピンチローラ２３と反転ローラ２０との当接位置から開放された原稿Ｄの先端部は積極的に掻き上げられることになり、原稿Ｄの先端部が下向きにカールしている場合に、排紙補助ガイド板２９の傾斜状の前端部２９ａに原稿Ｄの先端部が突き当たって水平部２９ｂ側に円滑に誘導できない状態を無くすることができ、排出された原稿Ｄの堆積順序は給紙トレイ部１３に載置した状態と同じにできるのである。
【００６５】
排出された原稿Ｄの堆積順序を正順にするための第５の実施形態は、排出シュート部である排紙補助ガイド板２９の上方の少なくとも一部、好ましくは、傾斜状の前端部２９ａから水平部２９ｂの前半部までにわたって、ほぼ水平な庇状上部案内部材５２を備えるものである（図１３参照）。このように構成すれば、先に排出されて排紙補助ガイド板２９上に堆積されている原稿Ｄの搬送上流側が庇状上部案内部材５２の下面に規制されて水平部２９ｂとほぼ平行の堆積状態を保持できるから、その下面側に後続する原稿Ｄの先端が円滑に誘導され易くなる。排出された原稿Ｄの堆積順序を給紙トレイ部１３に載置した状態と同じにして多数枚を堆積できるのである。
【００６６】
なお、蓋カバー体１９における上部屋根１９ａの搬送下流側の端縁１９ｂの近傍に、庇状上部案内部材５２の基部を枢軸５３を介して上下回動可能に取付けすることにより、蓋カバー体１９を大きく開いた状態では庇状上部案内部材５２の自由端縁が排紙トレイ部１４または給紙トレイ部１３の上面に当接して、蓋カバー体１９の開き回動姿勢を保持できるようにすることもできる。
【００６７】
なお、これら第１の実施形態に加えて、第２実施形態から第５実施形態の構成を適宜組み合わせて採用することが好ましい。
【００６８】
また、被嵌部材４６の外周面はほぼ円弧状であるから、反転ローラ２０に摺接しない原稿Ｄの幅方向のカールした状態の両端部側が、駆動軸２８に巻き込まれることなく、被嵌部材４６の外周面に沿って円滑に排出口方向に誘導できるのである。
【００６９】
本発明では、第２の回転駆動部材として反転ローラ２０に代えて、無端ベルトを用いることができることはいうまでもない。
【図面の簡単な説明】
【００７０】
【図１】本発明の原稿搬送装置を備えた多機能装置の斜視図である。
【図２】同じく平面図である。
【図３】原稿搬送装置における蓋カバー体を開放した状態を示す斜視図である。
【図４】同じく平面図である。
【図５】（ａ）は図２のVa-Va 線矢視断面図、（ｂ）は図４のVb-Vb 線矢視断面図である。
【図６】図５（ａ）の左側部位の拡大断面図である。
【図７】図６をさらに拡大した要部断面図である。
【図８】蓋カバー体を開いた部分の平面図である。
【図９】図８のIX−IX線矢視拡大断面図である。
【図１０】動力伝達部の側面図である。
【図１１】第１ピンチローラの押圧手段を示す斜視図である。
【図１２】第１押圧部材及び第２押圧部材を示す斜視図である。
【図１３】第２実施形態〜第５実施形態を示す要部拡大側断面図である。
【図１４】図１３のXIV −XIV 線矢視断面図である。
【符号の説明】
【００７１】
１      多機能装置
２      原稿搬送装置
３      原稿搬送装置
４      本体ケース
５      操作パネル部
６      第１及び該２の透明板部材を兼用するガラス板
８      読取手段
１０    第２押圧部材としての押圧板体
１２    上カバー
１３    給紙トレイ部
１４    排紙トレイ部
１５    吸入ローラ
１６    分離ローラ
１７    吸入ニップ片
１８    分離パッド
１９    蓋カバー体
２０    反転ローラ
２１    第１ピンチローラ
２２    第２ピンチローラ
２３    第３ピンチローラ
２４    フレーム
２５    コイルばね
２６    支持片
２７    バネ片
２８    駆動軸
２９    排出シュートとしての排紙補助ガイド板
３０    圧縮コイルばね
３１    板バネ
３２    吸入シュート部
３４    原稿ストッパー体
３６    露出開口部
４０    第１の押圧部材
４１    弾性フック体
４６    被嵌部材
４７    案内部材
４９    弾性支持片
５１    掻き出しローラ
【図１】
2008189476.tif 000003
【図２】
2008189476.tif 000004
【図３】
2008189476.tif 000005
【図４】
2008189476.tif 000006
【図５】
2008189476.tif 000007
【図６】
2008189476.tif 000008
【図７】
2008189476.tif 000009
【図８】
2008189476.tif 000010
【図９】
2008189476.tif 000011
【図１０】
2008189476.tif 000012
【図１１】
2008189476.tif 000013
【図１２】
2008189476.tif 000014
【図１３】
2008189476.tif 000015
【図１４】
2008189476.tif 000016